(57)【要約】【課題】マウスを容易に保持させることが可能なクレードルを提供すること。【解決手段】本発明のクレードル２００は、支持部２１０と、支持部２１０にマウス１００の一部と対応する形状に陥没形成された保持部２２０とを備える。クレードル２００の保持部２２０は、支持部２１０の底面２１２に対して所定の角度θを有し、マウス１００をスライド可能な平面状の傾斜面２２２と、傾斜面２２２の外縁のうち少なくとも下部および側部に形成され、傾斜面２２２に沿ってスライドするマウス１００を保持位置に案内するガイド縁部２２４と、を有する。【選択図】図１
2010061617.tif 000002
【特許請求の範囲】
【請求項１】
支持部と、
前記支持部にマウスの一部と対応する形状に陥没形成された保持部と、
を備え、
前記保持部は、
前記支持部の底面に対して所定の角度を有し、マウスをスライド可能な平面状の傾斜面と、
前記傾斜面の外縁のうち少なくとも下部および側部に形成され、前記傾斜面に沿ってスライドするマウスを保持位置に案内するガイド縁部と、
を有する、クレードル。
【請求項２】
前記ガイド縁部は、前記傾斜面に載置された異物を前記保持位置から排出する形状に形成される、請求項１に記載のクレードル。
【請求項３】
前記ガイド縁部は、前記傾斜面の外縁に沿って略Ｕ字形状に形成され、前記傾斜面側の外縁から上方に向かって凹状の曲面を有するように形成される、請求項２に記載のクレードル。
【請求項４】
前記保持部は、前記保持位置でマウスを掛止するフック部を前記傾斜面の外縁上部に備える、請求項１〜３のいずれかに記載のクレードル。
【請求項５】
前記フック部は、前記傾斜面から突出する突起であって、その縁部は略Ｒ形状に形成される、請求項４に記載のクレードル。
【請求項６】
前記クレードルの内部には、マウスを無接点充電するための磁力を発生させる一次コイルが前記傾斜面と対向して設けられる、請求項１〜５のいずれかに記載のクレードル。
【請求項７】
前記所定の角度は、４５°〜６０°である、請求項１〜６のいずれかに記載のクレードル。
【請求項８】
底面および当該底面の外縁に形成される曲面からなる下部材と、入力操作が行われる操作部を備える上部材と、前記下部材と前記上部材とを連結する側部材とからなる筐体と、
前記筐体の内部に設けられ、自身の位置および動作を検出する検出部と、
を備え、
前記筐体の底面には、前記マウスを保持するクレードルのフック部と係合するスリットが形成される、マウス。
【請求項９】
前記スリットには、前記マウスを前記クレードルのフック部へ案内するガイド斜面が形成される、請求項８に記載のマウス。
【請求項１０】
前記スリットは、電力を供給する電池が収容される電池収容部を被覆し、前記筐体に対して開閉可能な電池蓋に設けられる、請求項９に記載のマウス。
【請求項１１】
マウスと、前記マウスを保持するクレードルとからなり、
前記マウスは、底面および当該底面の外縁に形成される曲面からなり、その一部が前記クレードルの保持部と嵌合する下部材と、入力操作が行われる操作部を備える上部材と、前記下部材と前記上部材とを連結する側部材とからなる筐体を備え、
前記クレードルは、
支持部と、
前記支持部に前記マウスの一部と対応する形状に陥没形成された保持部と、
を備え、
前記保持部は、
前記支持部の底面に対して所定の角度を有し、前記マウスをスライド可能な平面状の傾斜面と、
前記傾斜面の外縁のうち少なくとも下部および側部に形成され、前記傾斜面に沿ってスライドする前記マウスを保持位置に案内するガイド縁部と、
を有する、マウスユニット。
【請求項１２】
前記クレードルの保持部は、前記傾斜面の外縁上部に、前記保持位置で前記マウスを掛止するフック部を備え、
前記マウスは、前記筐体の底面に、前記保持位置で前記クレードルのフック部と係合するスリットが形成される、請求項１１に記載のマウスユニット。
【請求項１３】
前記クレードルの内部には、前記マウスを無接点充電するための磁力を発生させる一次コイルが前記傾斜面と対向して設けられており、
前記マウスの筐体内部には、前記クレードルの一次コイルの発生する磁力によって電流を生じる二次コイルが前記底面と対向して設けられており、
前記マウスが前記クレードルに前記保持位置で保持された状態において、前記マウスの一次コイルと前記二次コイルとが対向する、請求項１１に記載のマウスユニット。
【請求項１４】
前記マウスが前記クレードルに前記保持位置で保持された状態において、前記マウスの側部材背面側の面と前記クレードルの支持部前面側の面とが、前記クレードルの底面に対して略垂直方向に略面一となる、請求項１１に記載のマウスユニット。
【発明の詳細な説明】
【技術分野】
【０００１】
本発明は、クレードル、マウスおよびマウスユニットに関し、より詳細には、マウスを充電するクレードル、充電されるマウスおよびこれらのクレードルおよびマウスからなるマウスユニットに関する。
【背景技術】
【０００２】
パーソナルコンピュータ等の入力装置として、例えば文字や数字の入力等を行うためのキーボードや、ディスプレイ画面上に表示されるカーソルの表示位置を操作するポインティングデバイスなどがある。ポインティングデバイスには、例えばマウスやトラックボール、タッチパッドなどがあり、その操作性の高さから広くマウスは使用されている。
【０００３】
マウスは、従来、ケーブルによりパーソナルコンピュータ等と接続して使用されていたが、ケーブルがマウスの操作の妨げとなることもあった。このため、近年では、パーソナルコンピュータ等と接続された受信機と電波や赤外線によって通信することにより使用可能なワイヤレスマウスも普及している。ワイヤレスマウスを使用する場合、マウスの操作情報や位置情報を送信するための電力を供給する電池がマウス自身に搭載されている。
【０００４】
しかし、電池が切れるとマウスによる操作が不能となり、頻繁に電池を交換しなければならないという問題があった。特に、マウスが底面に発光部と受光部とを備え、移動量や方向、速度等を光学的に検出する光学式マウスである場合、発光部による電力消費がボール式マウスを用いる場合と比較して大きくなるため、電池交換の頻度はより高くなる。そこで、マウスに充電可能な二次電池を搭載し、二次電池をマウスから外すことなく充電することの可能なマウスの充電器により充電することの可能なマウスが提案されている（例えば、特許文献１、２）。
【０００５】
【特許文献１】特開２００８−１５６９３号公報
【特許文献２】特開２００５−２５９１０２号公報
【発明の開示】
【発明が解決しようとする課題】
【０００６】
しかし、上記特許文献１、２では、マウスに搭載された二次電池を充電するために、マウスにプラグを差し込んだり充電器に接続したりする必要があり、マウスを容易に充電状態にすることができなかった。
【０００７】
そこで、本発明は、上記問題に鑑みてなされたものであり、本発明の目的とするところは、マウスを容易に保持させることが可能な、新規かつ改良されたクレードル、マウスおよびマウスユニットを提供することにある。
【課題を解決するための手段】
【０００８】
上記課題を解決するために、本発明のある観点によれば、支持部と、支持部にマウスの一部と対応する形状に陥没形成された保持部とを備えるクレードルが提供される。クレードルの保持部は、支持部の底面に対して所定の角度を有し、マウスをスライド可能な平面状の傾斜面と、傾斜面の外縁のうち少なくとも下部および側部に形成され、傾斜面に沿ってスライドするマウスを保持位置に案内するガイド縁部と、を有する。
【０００９】
本発明によれば、マウスをクレードルの保持部に保持させるとき、ユーザは、マウスをクレードルの傾斜面に沿ってスライドさせて保持位置まで移動させる。このとき、クレードルの傾斜面が所定の角度を有することにより、傾斜面に沿ってマウスをスライドさせやすくなる。また、傾斜面の外縁のうち少なくとも下部および側部にガイド案内部を設けることで、傾斜面に沿ってスライドするマウスを保持位置に案内することができる。これにより、マウスが自然に保持位置へ移動され、マウスをクレードルに容易に保持させることができる。
【００１０】
ここで、ガイド縁部は、傾斜面に載置された異物を保持位置から排出する形状に形成することもできる。また、ガイド縁部は、例えば、傾斜面の外縁に沿って略Ｕ字形状に形成することもでき、傾斜面側の外縁から上方に向かって凹状の曲面を有するように形成することもできる。
【００１１】
また、保持部は、保持位置でマウスを掛止するフック部を傾斜面の外縁上部に備えることもできる。フック部は、例えば、傾斜面から突出する突起であって、その縁部は略Ｒ形状に形成される。
【００１２】
さらに、クレードルの内部には、マウスを無接点充電するための磁力を発生させる一次コイルを傾斜面と対向して設けることもできる。また、傾斜面の角度は、例えば約４５°〜６０°の範囲の角度とすることができる。
【００１３】
また、上記課題を解決するために、本発明の別の観点によれば、底面および当該底面の外縁に形成される曲面からなる下部材と、入力操作が行われる操作部を備える上部材と、下部材と上部材とを連結する側部材とからなる筐体と、筐体の内部に設けられ、自身の位置および動作を検出する検出部と、を備えるマウスが提供される。マウスの筐体の底面には、マウスを保持するクレードルのフック部と係合するスリットが形成される。
【００１４】
ここで、スリットには、マウスをクレードルのフック部へ案内するガイド斜面を形成してもよい。また、スリットは、電力を供給する電池が収容される電池収容部を被覆し、筐体に対して開閉可能な電池蓋に設けることができる。
【００１５】
さらに、上記課題を解決するために、本発明の別の観点によれば、マウスと、マウスを保持するクレードルとからなるマウスユニットが提供される。マウスは、底面および当該底面の外縁に形成される曲面からなり、その一部がクレードルの保持部と嵌合する下部材と、入力操作が行われる操作部を備える上部材と、下部材と上部材とを連結する側部材とからなる筐体を備える。また、クレードルは、支持部と、支持部にマウスの一部と対応する形状に陥没形成された保持部と、を備える。ここで、クレードルの保持部は、支持部の底面に対して所定の角度を有し、マウスをスライド可能な平面状の傾斜面と、傾斜面の外縁のうち少なくとも下部および側部に形成され、傾斜面に沿ってスライドするマウスを保持位置に案内するガイド縁部と、を有する。
【００１６】
ここで、クレードルの保持部には、傾斜面の外縁上部に、保持位置でマウスを掛止するフック部を備えることもできる。このとき、マウスには、筐体の底面に、保持位置でクレードルのフック部と係合するスリットを形成するようにしてもよい。
【００１７】
また、クレードルの内部には、マウスを無接点充電するための磁力を発生させる一次コイルを傾斜面と対向して設けることもできる。一方、マウスの筐体内部には、クレードルの一次コイルの発生する磁力によって電流を生じる二次コイルを底面と対向して設けることができる。このとき、マウスがクレードルに保持位置で保持された状態において、マウスの一次コイルと二次コイルとが対向するように、各コイルは設けられる。
【００１８】
さらに、マウスがクレードルに保持位置で保持された状態において、マウスの側部材背面側の面と、クレードルの支持部前面側の面とが、クレードルの底面に対して略垂直方向に略面一となるように、マウスユニットを構成することもできる。
【発明の効果】
【００１９】
以上説明したように本発明によれば、マウスを容易に保持させることが可能なクレードル、マウスおよびマウスユニットを提供することができる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
＜マウスユニットの概略構成＞
まず、図１〜図３に基づいて、本発明の実施形態にかかるマウスユニット１の概略構成について説明する。なお、図１は、本実施形態にかかるマウスユニット１を分離した状態で示す斜視図である。図２は、本実施形態にかかるマウスユニット１であって、マウス１００をクレードル２００に保持させる状態を示す斜視図である。図３は、本実施形態にかかるマウスユニット１を、マウス１００をクレードル２００にセットした状態で示す斜視図である。
【００２２】
本実施形態にかかるマウスユニット１は、図１〜図３に示すように、マウス１００と、マウス１００を保持するクレードル２００とからなる。本実施形態にかかるマウス１００は、光学式ワイヤレスマウスであって、図１に示すように、クレードル２００から分離して使用される。また、マウス１００は充電可能な二次電池を搭載しており、二次電池を充電する場合には、図２に示すように、マウス１００の底面をクレードル２００の傾斜面上で下方側にスライドさせて、図３に示すマウス１００の保持位置に保持させる。ここで、保持位置とは、マウス１００の下部材背面側とクレードル２００の保持部２２０とが嵌合されて、マウス１００とクレードル２００の相対向する面が密接した状態で保持される位置をいう。
【００２３】
本実施形態にかかるマウス１００に搭載される電池は、無接点充電により充電される。無接点充電は、送電側であるクレードル２００および受電側であるマウス１００にそれぞれコイルを搭載し、コイル間の電磁誘導で電力を非接触で伝送することにより行われる。このため、電池を充電するためにマウス１００とクレードル２００とを電気的に接続するための金属端子が不要となり、マウス１００をクレードル２００に保持させやすく、埃や水分などによってショートすることも防止できる。
【００２４】
本実施形態にかかるマウスユニット１は、マウス１００をクレードル２００に保持させやすく、かつマウス１００をクレードル２００に安定して保持させることができる。以下、マウスユニット１を構成するマウス１００およびクレードル２００の構成について説明する。
【００２５】
＜マウスの構成＞
まず、図４〜図８に基づいて、本実施形態にかかるマウス１００の構成について説明する。なお、図４は、本実施形態にかかるマウス１００を示す平面図である。図５は、本実施形態にかかるマウス１００を示す底面図である。図６は、図３に示すマウスユニット１を切断した状態を示す断面図である。図７は、本実施形態にかかるマウス１００の電池蓋１６０を開いた状態を示す斜視図である。図８は、本実施形態にかかるマウス１００から電池１７０を取り出す状態を示す斜視図である。また、以下では、図４のｙ軸正方向側をマウス１００の前面、ｙ軸負方向側をマウス１００の背面として説明する。
【００２６】
本実施形態にかかるマウス１００は、平坦形状の底面部と手を載置しやすい形状に立体的に形成された立体部とからなる筐体１１０と、クリックボタン１２０と、ホイール１３０と、二次コイル１４０と、電池部１５０と、位置検出部１９０とを備える。
【００２７】
筐体１１０は、図４および図５に示すように、上部材１１２と、側部材１１４と、下部材１１６とからなる。上部材１１２は、筐体１１０外部に向かって僅かに湾曲する略楕円形状の部材である。上部材１１２は、クリックボタン１２０が一体に設けられており、クリックボタン１２０の間にホイール１３０やブラウザやアプリケーション等の操作を行うための操作ボタン１３２等が設けられている。側部材１１４は、上部材１１２および下部材１１６を連結する部材であって、マウス１００の前面側へ傾斜する略環形状を有する。側部材１１４の背面側は、図３に示すように、マウス１００をクレードル２００に保持させた状態で、クレードル２００の表面と略面一にとなるように形成される。また、側部材１１４の背面側には、マウス１００の電池１７０の充電状態を通知する充電ランプ１１５が設けられている。
【００２８】
下部材１１６は、略楕円形状の平坦な底面部１１６ａと、底面部１１６ａの縁部から凸状の曲面に形成される曲面部１１６ｂとからなる。底面部１１６ａは、マウス１００を操作する際にマウス１００が載置される載置面と接触する。底面部１１６ａには、電池蓋１６０が底面部１１６ａと略面一となるように取り付けられる。曲面部１１６ｂは、上部材１１２および側部材１１４とともにマウス１００の立体的な形状を実現する。曲面部１１６ｂを設けることにより、マウス１００をクレードル２００の保持部２２０に安定して保持させることができる。
【００２９】
クリックボタン１２０は、上部材１１２の前面側に設けられ、右側に設けられた右クリックボタン１２２と、左側に設けられた左クリックボタン１２４とからなる。右クリックボタン１２２または左クリックボタン１２４をユーザがｚ軸方向に押下してクリックすると、クリック検出部（図示せず。）がクリックを検出して、クリックが行われたことを示すクリック信号を出力する。右クリックボタン１２２および左クリックボタン１２４の押下の仕方によって、例えばマウスポインタが指し示す場所に関連するメニューを表示する機能や、選択や決定などのアプリケーションを操作する機能を実行することができる。
【００３０】
ホイール１３０は、上部材１１２の前面側中央に、右クリックボタン１２２と左クリックボタン１２４との間に挟まれるように設けられる、環状部材である。ホイール１３０は、筐体１１０内部においてｘ軸方向に延びる支持軸１３４により回転可能に支持されており、ホイール１３０の一部が上部材１１２の外部に露出するように設けられる。ユーザがホイール１３０を指で回転させると、回転検出部（図示せず。）によりホイール１３０の回転が検出され、ホイール１３０の回転方向や回転の速さを示す回転信号が出力される。また、ホイール１３０はｚ軸方向に押下可能に構成することもでき、これにより、ホイール１３０によってクリック操作を行うこともできる。これらの検出された信号は、基板１９５に搭載された制御部（図示せず。）に送信され、制御部からアンテナ（図示せず。）を介してこれらの信号を受信する受信装置へ送信する。
【００３１】
二次コイル１４０は、電池１７０を充電する電圧を発生するコイルである。二次コイル１４０は、図６に示すように、筐体１１０内部の下部材１１６背面側に設けられる。二次コイル１４０は、クレードル２００に設けられた一次コイル２５０と対向させて一次コイル２５０に電流を流すと、電磁誘導により起電力を生じる。かかる電圧を利用して、電池１７０を充電することができる。発生した電圧は整流回路等を通して安定された後、電気的に接続された電池１７０へ送られる。
【００３２】
電池部１５０は、マウス１００を機能させるために必要な電気を供給する電池１７０を収容する。電池部１５０は、筐体１１０内部の下部材１１６中央部分に設けられており、例えば図７に示すように、電池蓋１６０と、電池１７０と、電池収容部１８０とから構成される。
【００３３】
電池蓋１６０は、電池収容部１８０を覆う蓋であって、マウス１００本体に装着させたときにマウス１００の底面と略平坦となるように設けられる。マウス１００の底面部１１６ａには、図５に示すように、電池蓋１６０を開きやすくするための凹部１６２が形成されている。また、電池蓋１６０には、ｘ軸方向に延びるスリット１６４が形成されている。電池蓋１６０を開くとき、ユーザは指を凹部１６２に沿って電池蓋１６０をｙ軸負方向へ押しながら電池蓋１６０の開く方向へ引き上げるが、スリット１６４を設けることにより、電池蓋１６０をｙ軸負方向に押す力によって電池蓋１６０を撓ませることができる。これにより、電池蓋１６０を開けやすくすることができる。
【００３４】
また、スリット１６４は、クレードル２００のフック部と係合してマウス１００をクレードル２００に掛止させる係合部としても機能する。スリット１６４のマウス１００背面側の長辺には、クレードル２００のフック部２３０と係合しやすいようにガイド斜面１６６を形成してもよい。ガイド斜面１６６は、電池蓋１６０側からスリット１６４の長辺の中央部分に向かうにつれて、電池蓋１６０の外面側から内面側に向かって傾斜する。これにより、ガイド斜面１６６の傾斜に沿ってクレードル２００のフック部２３０がスリット１６４へ案内される。
【００３５】
また、マウス１００をクレードル２００に保持させるときのスライド方向に対して略直交するｘ軸方向に延びるようにスリット１６４を形成することにより、クレードル２００のフック部２３０との係合を外れにくくすることができる。さらに、スリット１６４の位置は、電池蓋１６０の前面側に形成するのがよい。これにより、クレードル２００のフック部２３０にマウス１００を掛止したときに、フック部２３０より下方にマウス１００の電池１７０が位置するようになり、重心位置が安定する。したがって、クレードル２００によりマウス１００を安定して保持することができる。
【００３６】
電池蓋１６０を開けると、図７に示すように、電池１７０を収容する電池収容部１８０が現れる。ここで、本実施形態にかかる電池１７０は、充電可能な二次電池であって、例えばリチウムイオン二次電池を用いることができる。かかる電池１７０は、略直方体の形状を有しており、一側面には電池収容部１８０に設けられた金属端子１８１と接触する端子部（図示せず。）が設けられている。電池１７０を収容する電池収容部１８０は、挿入される電池１７０の形状（複数の電池が収容される場合には、収容時におけるこれらの電池の配置形状）に対応する凹状部分として形成されている。電池収容部１８０は、ｙ軸方向に略平行な内側面の一側に、電池収容部１８０に挿入された電池１７０の端子部と接続する金属端子１８１が設けられる。
【００３７】
本実施形態にかかる電池部１５０には、図７に示すように、電池蓋１６０と電池収容部１８０とを接続する２つのタグが設けられている。１つは、電池蓋１６０が電池収容部１８０から完全に分離されることにより生じる電池蓋１６０が紛失する可能性を防ぐために設けられる電池蓋タグ１７２である。もう１つは、電池収容部１８０に挿入された電池１７０の取り出しを容易にするための取出しタグ１７４である。
【００３８】
電池蓋タグ１７２は、電池蓋１６０の内面と電池収容部１８０のマウス１００背面側（ｙ軸負方向側）の内側面１８２とを接続する。電池蓋タグ１７２と電池蓋１６０とは溶接により固定することができる。電池蓋タグ１７２は、例えば柔軟性を有するフィルム部材から形成することができ、電池蓋１６０をマウス１００本体から取り外したときに電池蓋１６０を自由に動かすことができる遊びを持った長さに形成される。
【００３９】
一方、取出しタグ１７４は、電池蓋１６０の内面と電池収容部１８０のマウス１００前面側（ｙ軸正方向側）の内側面１８６とを接続する。すなわち、取出しタグ１７４は、一端が電池蓋１６０の背面に接続され、電池蓋タグ１７２の接続された内側面１８２および電池収容部１８０の底面１８４に沿って延びた後、他端が内側面１８２と対向する内側面１８６に取り付けられる。取出しタグ１７４は、電池収容部１８０の内面に沿うように曲げぐせが付けられている。取出しタグ１７４と電池蓋１６０とは溶接により固定することができる。取出しタグ１７４は、例えば柔軟性を有するフィルム部材から形成することができ、電池蓋タグ１７２と略平行となるように設けられる。これにより、電池蓋１６０を開いたときに左右（ｘ軸）いずれかの方向に電池蓋１６０が傾かないようにすることができる。
【００４０】
電池１７０は、取出しタグ１７４の上に電池１７０が置かれるように電池収容部１８０に挿入される。ここで、電池１７０を誤って取出しタグ１７４の上に置かずに電池収容部１８０へ挿入すると、電池１７０は電池収容部１８０から取り出しにくくなる。このような状態の電池１７０をドライバやピンセット等を用いて電池収容部１８０から取り出そうとすると、電池１７０が損傷してしまう危険がある。そこで、本実施形態では、電池蓋タグ１７２の他端が取り付けられた電池収容部１８０の内側面１８２と対向する内側面１８６に取出しタグ１７４の他端を接続させることにより、取出しタグ１７４上に電池１７０が置かれるようにすることができる。これにより、電池１７０が誤った状態で電池収容部１８０に収容されるのを防止する。
【００４１】
そして、電池１７０を電池収容部１８０から取り出すときには、図８に示すように、電池蓋１６０を開いて取出しタグ１７４または電池蓋１６０を矢印方向に持ち上げる、あるいはねじる。これにより、電池１７０が電池収容部１８０から浮き上がり、電池１７０を電池収容部１８０から容易に取り出すことができる。
【００４２】
位置検出部１９０は、図６に示すように、前面側のホイール１３０と背面側の電池１７０との間に設けられており、マウス１００の位置や移動量、移動方向、移動速度を検出する。位置検出部１９０は、マウス１００の載置面に対して光を発する発光部と、発光部から発せられた光の反射光を受光する受光部（いずれも図示せず。）とからなる。位置検出部１９０は、検出した位置情報を基板１９５に搭載された制御部（図示せず。）に送信し、制御部からアンテナ（図示せず。）を介して位置情報等の情報を受信する受信装置へ送信する。
【００４３】
＜クレードルの構成＞
次に、図６、図９および図１０に基づいて、本実施形態にかかるクレードル２００の構成について説明する。なお、図９は、本実施形態にかかるクレードル２００を示す正面図である。図１０は、本実施形態にかかるクレードル２００を示す斜視図である。
【００４４】
本実施形態にかかるクレードル２００は、上述のマウス１００を保持し、マウス１００に収容された電池１７０を充電する。クレードル２００は、図９および図１０に示すように、支持部２１０と、支持部２１０に陥没形成された保持部２２０とからなる。
【００４５】
支持部２１０は、保持部２２０により保持されたマウス１００を支持する基台であって、略円柱形状の上部側に保持部２２０が形成されている。
【００４６】
保持部２２０は、マウス１００を保持する部分であって、マウス１００の下部材１１６の背面側の形状に対応した形状に陥没して形成されている。本実施形態では、図９に示すように、保持部２２０は正面から見た外縁の形状が略Ｕ字形状に形成されている。
【００４７】
保持部２２０は、傾斜面２２２と、ガイド縁部２２４とからなる。傾斜面２２２は、支持部２１０の底面２４０に対して所定の角度を有する、平坦面である。傾斜面２２２は、クレードル２００に支持されたマウス１００の底面の一部（背面側）と対向する。ガイド縁部２２４は、傾斜面２２２の外縁の側部および下部に設けられ、保持部２２０に保持されたマウス１００の下部材１１６背面側を密着して覆うように設けられる。例えば、ガイド縁部２２４は、傾斜面２２２の外縁に沿って略Ｕ字形状に形成することができる。また、ガイド縁部２２４は、傾斜面２２２側の縁部から上方（傾斜面２２２に対して筐体１１０外部へ向かう方向）に向かって斜面２２２から連続する凹状の曲面を有するように形成される。このような形状とすることにより、ガイド縁部２２４は、傾斜面２２２に沿ってスライドするマウス１００を保持位置へ案内する。
【００４８】
保持部２２０の外縁部上部側には、傾斜面２２２から突出するフック部２３０が設けられる。フック部２３０は、マウス１００を掛止する部材であって、図９に示すように略半円形状に形成されている。なお、フック部２３０の形状はかかる例に限定されず、例えば略三角形状、略四角形状であってもよい。フック部２３０の外縁は、マウス１００のスリット１６４と係合しやすいように、丸みを帯びた略Ｒ形状にされている（図１２参照）。
【００４９】
クレードル２００の内部には、図６に示すように、マウス１００の電池１７０を充電するための一次コイル２５０や、外部電源と接続される電源接続端子２６０が設けられる。一次コイル２５０は、マウス１００が保持部２２０に保持された状態において、マウス１００に設けられた二次コイル１４０と対向するように設けられる。外部電源と接続されて電源接続端子２６０を介して電流が入力されると、一次コイル２５０に電流が流れて磁界が発生する。その磁力の流れによってマウス１００の二次コイル１４０に電力を生じさせることができる。
【００５０】
また、クレードル２００の支持部２１０には、保持部２２０の傾斜面２２２と交わる第２の傾斜面２１６が形成されている。第２の傾斜面２１６は、例えばフック部２３０の突出する方向と同一方向に延設された、平坦面である。第２の傾斜面を設けることにより、保持状態のマウス１００の前面側をフック部２３０を支点として前後に動かすことが可能となる。これにより、マウス１００をクレードル２００に容易に保持させることができる。
【００５１】
以上、本実施形態にかかるマウス１００およびクレードル２００の構成について説明した。このようなマウス１００およびクレードル２００からなるマウスユニット１は、上述したように、マウス１００をクレードル２００に容易に保持させることができるので、マウス１００を電池１７０の充電する状態に容易にセットすることができる。以下、本実施形態にかかるマウスユニット１におけるマウス１００とクレードル２００との関係について説明する。
【００５２】
＜マウスの保持位置へのセット＞
本実施形態にかかるマウスユニット１は、マウス１００をクレードル２００に容易に保持させることができる。これは、保持部２２０の形状によってマウス１００が保持位置へ案内され、自然にマウス１００のスリット１６４とクレードルのフック部２３０とが係合することによる。
【００５３】
本実施形態にかかるクレードル２００の保持部２２０は、図１０に示すように、平坦状の傾斜面２２２と、曲線状のガイド縁部２２４とからなる。ここで、本実施形態にかかるガイド縁部２２４は略Ｕ字形状に曲面が形成されている。このため、図１〜図３に示すように、マウス１００をクレードル２００の傾斜面２２２に沿って下方向（ｚ軸負方向）へ移動させたとき、マウス１００の下部材１１６の一部がガイド縁部２２４に接触すると、マウス１００はガイド縁部２２４の曲面に沿って保持位置へ案内される。すなわち、ガイド縁部２２４の外縁から傾斜面２２２に向かう凹状の曲面形状により、マウス１００の底面部１１６ａをクレードル２００の傾斜面２２２とほぼ対向するようにマウス１００を位置させれば、特定の位置にマウス１００を位置させなくとも保持位置へ移動させることができる。そして、マウス１００が保持位置へ移動されると、マウス１００の下部材１１６の背面側がクレードル２００の保持部２２０と嵌合し、密接して保持されるようになる。
【００５４】
このとき、図１１および図１２に示すように、マウス１００のスリット１６４とクレードル２００のフック部２３０とが係合し、マウス１００はクレードル２００に掛止される。ここで、マウス１００のスリット１６４には、スリット１６４と係合されるようにフック部２３０を案内するガイド斜面１６６が形成されている。このため、マウス１００が傾斜面２２２上でスライドされて保持位置へ近づくと、マウス１００のガイド斜面１６６にフック部２３０が当接し、ガイド斜面１６６の形状に沿ってフック部２３０がスリット１６４へ案内される。そして、マウス１００がクレードル２００の保持位置に位置して保持部２２０に密接保持されたとき、マウス１００のスリット１６４とクレードル２００のフック部２３０とが係合し、マウス１００はクレードル２００に掛止される。
【００５５】
このように、マウス１００がクレードル２００に保持されたとき、図３に示すように、マウス１００の下部材１１６の背面側がクレードル２００の保持部２２０と嵌合する。すなわち、マウス１００の底面部１１６ａとクレードル２００の傾斜面２２２とは密接に対向し、マウス１００の下部材１１６の曲面部１１６ｂはクレードル２００のガイド縁部２２４と密接に対向する。したがって、マウス１００の背面側がクレードル２００の保持部２２０と密接する状態で、マウス１００はクレードル２００に掛止されている。このとき、クレードル２００の一次コイル２５０とマウス１００の二次コイル１４０とは対向した状態となる。したがって、一次コイル２５０に電流が流れることにより発生する磁力によって二次コイル１４０で生じる起電力を大きくすることができるので、電池１７０の充電効率を高めることもできる。
【００５６】
なお、クレードル２００の傾斜面２２２は、マウス１００をクレードル２００に保持させ易いように、クレードル２００の底面２１２に対して所定の角度θを有するように設けられる。かかる角度θは、傾斜面２２２とマウス１００の底面との密着性や、傾斜面２２２に載置された異物が滑り落ちるようにすることなどを考慮して決定される。所定の角度θは、例えば約４５°〜６０°の範囲内に設定され、例えば約４８．４°とすることができる。
【００５７】
角度θを上記範囲よりも大きい角度に設定すると、マウス１００をクレードル２００に保持させにくくなる。また、クレードル２００に保持された状態でのマウス１００の高さが高くなって不安定な状態となり、マウス１００を安定して保持することができなくなる。さらに、マウス１００の重心も後方側（図３において、マウス１００の上部材１１２側）に移動してしまい、マウス１００の底面部１１６ａとクレードル２００の傾斜面２２２との密着性が低下する。これにより、電池１７０の充電効率が低下するという問題が生じる。一方、角度θを上記範囲よりも小さい角度に設定した場合も、マウス１００をクレードル２００に保持させにくくなる。また、後述するように、クレードル２００の傾斜面２２２に載置された異物５を保持部２２０から排出することができなくなるという問題がある。そこで、傾斜面２２２の角度θは上記範囲内に設定するのが望ましい。
【００５８】
また、本実施形態にかかるマウスユニット１は、図３に示すようにマウス１００をクレードル２００の保持位置にセットしたとき、マウス１００の側部材１１４の背面側とクレードル２００の支持部２１０の前面側２１４とがクレードル２００の底面２１２に対して略垂直方向に略面一、すなわちクレードル２００の底面２１２に対して約９０°の角度を有するようになる。このとき、かかる面がクレードル２００の底面２１２に対して略直角となるように、マウス１００の側部材１１４の傾斜およびクレードル２００の支持部２１０の角度が決定される。かかる形状とすることにより、ユーザは、マウス１００の側部材１１４の背面側に設けられた充電ランプ１１５を容易に確認することができる。
【００５９】
さらに、本実施形態にかかるマウスユニット１では、マウス１００をクレードル２００に保持させるためにマウス１００をクレードル２００の傾斜面２２２上でスライドさせるが、かかる動作時にフック部２３０はマウス１００に隠れて目視することができない。しかし、上述したように、クレードル２００のガイド縁部２２４がマウス１００を保持位置へ案内するため、フック部２３０の位置を視認できなくとも、ユーザは容易にマウス１００をクレードル２００に掛止させることができる。フック部２３０の外縁を略Ｒ形状に形成し、マウス１００のスリット１６４に馴染む形状としたこと、またスリット１６４にフック部２３０を案内するガイド斜面１６６を形成したことにより、さらにマウス１００をクレードル２００に容易に掛止させることができる。そして、図３に示すように、マウス１００をクレードル２００に保持させた状態で、マウス１００をクレードル２００に掛止させる掛止部材（本実施形態ではフック部２３０）をマウスユニット１の表面上に現れないようにすることも可能となる。これにより、マウスユニット１をデザイン性の高い美しい形状に構成することもできる。
【００６０】
＜保持位置からの異物の除去＞
本実施形態にかかるクレードル２００は、無接点充電によりマウス１００の電池１７０を充電する。このため、クレードル２００には、電池１７０を充電するための磁界を発生させる一次コイル２５０が傾斜面２２２の下部側内面に設けられている。ここで、一次コイル２５０に外部電源から供給された電流が流れているときに、傾斜面２２２の一次コイル２５０が設けられた位置にクリップやコインなどの金属からなる異物が載置されていると、異物が通電して発熱する可能性がある。そこで、本実施形態にかかるクレードル２００は、異物が保持部２２０から排出されるような形状に形成されている。
【００６１】
図１３は、クレードル２００の傾斜面２２２およびガイド縁部２２４の形状を説明するための説明図である。クレードル２００の保持部２２０は、図１３に示すように、平坦状の傾斜面２２２と、曲線状のガイド縁部２２４とからなる。傾斜面２２２は、底面２１２に対して所定の角度θを有するように配置される。かかる角度θは、上述したように、マウス１００のクレードル２００への掛け易さや傾斜面２２２とマウス１００の底面との密着性、そして、傾斜面２２２に載置された異物５が滑り落ちるようにすることなどを考慮して決定される。また、本実施形態にかかる曲面部２２４は、凹状の曲面を有するが、曲率が大きすぎると曲面のくぼみに異物５が滞留してしまう。このため、曲面部２２４は、傾斜面２２２に載置された異物５が確実に滑り落ちるような、小さい曲率を有する曲面に形成されている。
【００６２】
傾斜面２２２に載置された異物５は、傾斜面２２２に沿って重力方向に滑り落ち、さらに傾斜面２２２と連続するガイド縁部２２４の曲面を滑って、保持部２２０から排出される。このように、クレードル２００の一次コイル２５０により発生する磁力の影響を受ける領域から異物５を排出することにより、異物５が磁力によって発熱するのを防止することができる。
【００６３】
以上、本発明の実施形態にかかるマウスユニット１について説明した。かかるマウスユニット１によれば、クレードル２００に所定の傾斜を有する傾斜面２２２と、傾斜面２２２の外縁の側部および下部に設けられたガイド縁部２２４とからなる保持部２２０が形成される。これにより、マウス１００をクレードル２００に保持させるため、傾斜面２２２上を傾斜に沿ってスライドさせると、マウス１００はガイド縁部２２４に案内されて保持位置に移動される。これにより、マウス１００をクレードル２００に容易に保持させることができる。また、クレードル２００の傾斜面２２２によって、マウス１００をクレードル２００に掛け易くし、傾斜面２２２とマウス１００の底面とを密着させて充電効率を向上させ、さらに保持部２２０から通電する可能性のある異物５を排出させることができる。
【００６４】
また、クレードル２００の傾斜面２２２の外縁上部に、マウス１００が保持位置にあるときにマウス１００のスリット１６４と係合するフック部２３０が設けられる。これにより、マウス１００がクレードル２００の保持部２２０に保持された状態でマウス１００はクレードル２００に掛止されるので、マウス１００の保持状態を安定して維持することができ、マウス１００がクレードル２００から落下するのを防止することができる。
【００６５】
さらに、マウス１００の下部材１１６背面側がクレードル２００の保持部２２０によって密接して保持されるため、マウス１００を安定して保持することができる。さらに、かかる状態により、マウス１００の電池１７０を充電するために必要な電圧を生じさせる二次コイル１４０と、クレードル２００の一次コイル２５０とが対向するようになる。これにより、電池１７０の充電効率を向上させることができる。
【００６６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６７】
例えば、上記実施形態では、マウス１００をクレードル２００に掛止する掛止部材としてフック部２３０を設けたが、本発明はかかる例に限定されない。例えば、クレードル２００のガイド縁部２２４の一部をさらに上方に延設して、マウス１００がクレードル２００に嵌合されたときにマウス１００の側部材１１４を支持する支持部材を設けてもよい。
【図面の簡単な説明】
【００６８】
【図１】本発明の実施形態にかかるマウスユニットを分離した状態で示す斜視図である。
【図２】同実施形態にかかるマウスユニットであって、マウスをクレードルに保持させる状態を示す斜視図である。
【図３】同実施形態にかかるマウスユニットを、マウスをクレードルにセットした状態で示す斜視図である。
【図４】同実施形態にかかるマウスを示す平面図である。
【図５】同実施形態にかかるマウスを示す底面図である。
【図６】図３に示すマウスユニットを切断した状態を示す断面図である。
【図７】同実施形態にかかるマウスの電池蓋を開いた状態を示す斜視図である。
【図８】同実施形態にかかるマウスから電池を取り出す状態を示す斜視図である。
【図９】同実施形態にかかるクレードルを示す正面図である。
【図１０】同実施形態にかかるクレードルを示す斜視図である。
【図１１】同実施形態にかかるマウスユニットであって、マウスをクレードルに保持させる状態を前面方向から見た斜視図である。
【図１２】マウスのスリットとクレードルのフック部とが係合された状態を示す部分拡大図である。
【図１３】クレードルの傾斜面およびガイド縁部の形状を説明するための説明図である。
【符号の説明】
【００６９】
１        マウスユニット
５        異物
１００    マウス
１１０    筐体
１１２    上部材
１１４    側部材
１１５    充電ランプ
１１６    下部材
１１６ａ  底面部
１１６ｂ  曲面部
１４０    二次コイル
１５０    電池部
１６０    電池蓋
１６２    凹部
１６４    スリット
１６６    ガイド斜面
１７０    電池
１７２    電池蓋タグ
１７４    取出しタグ
１８０    電池収容部
１９０    検出部
１９５    基板
２００    クレードル
２１０    支持部
２２０    保持部
２２２    傾斜面
２２４    ガイド縁部
２３０    フック部
２５０    一次コイル
【図１】
2010061617.tif 000003
【図２】
2010061617.tif 000004
【図３】
2010061617.tif 000005
【図４】
2010061617.tif 000006
【図５】
2010061617.tif 000007
【図６】
2010061617.tif 000008
【図７】
2010061617.tif 000009
【図８】
2010061617.tif 000010
【図９】
2010061617.tif 000011
【図１０】
2010061617.tif 000012
【図１１】
2010061617.tif 000013
【図１２】
2010061617.tif 000014
【図１３】
2010061617.tif 000015